(57)【要約】【課題】複数のコア間の位置決めが容易な誘導機器を提供する。【解決手段】第１Ｅ型コア１２の中央磁脚１５の幅方向における先端面１５１の中央部には凸部１８が突設されている。凸部１８の断面形状は、矩形である。第２Ｅ型コア１３の中央磁脚２０の幅方向における先端面２０１の中央部には凹部２３が凹設されている。凹部２３の断面形状は、台形形状である。凸部１８の先端面１８１の端縁は、凹部２３の台形の斜辺に当接している。外側磁脚１６，２２の先端面１６１，２２１同士が面接合しており、外側磁脚１７，２１の先端面１７１，２１１同士が面接合している。第１Ｅ型コア１２側の凸部１８と第２Ｅ型コア１３側の凹部２３とは、中央磁脚１５の先端面１５１と中央磁脚２０の先端面２０１との間にギャップＧ１を形成する。【選択図】図１
2011211104.tif 000002
【特許請求の範囲】
【請求項１】
複数の磁脚を有するコアを複数対向して組み合わせた誘導機器において、
複数の前記コアの一方における前記複数の磁脚のうちの少なくとも１つの先端に凸部が設けられており、
前記凸部を有する磁脚に対向する他方の前記コアの磁脚の先端に凹部が設けられており、
前記凸部と前記凹部とは、前記凸部を有する磁脚の先端と前記凹部を有する磁脚の先端との間の少なくとも一部にギャップを残す状態に接合されている誘導機器。
【請求項２】
前記ギャップの少なくとも一部は、前記凸部と前記凹部との間にある請求項１に記載の誘導機器。
【請求項３】
前記凸部及び前記凹部の断面形状は、一方が矩形であり、他方が台形である請求項１及び請求項２のいずれか１項に記載の誘導機器。
【請求項４】
前記凸部及び前記凹部の断面形状は、三角形であり、互いの頂角が異なる請求項１及び請求項２のいずれか１項に記載の誘導機器。
【請求項５】
前記凸部及び前記凹部の断面形状は、円弧であり、互いの曲率半径が異なる請求項１及び請求項２のいずれか１項に記載の誘導機器。
【請求項６】
前記凸部及び前記凹部の断面形状は、一方が台形であり、他方が三角形である請求項１及び請求項２のいずれか１項に記載の誘導機器。
【請求項７】
前記コアは、左右対称である請求項１乃至請求項６のいずれか１項に記載の誘導機器。
【発明の詳細な説明】
【技術分野】
【０００１】
本発明は、複数の磁脚を有するコアを複数対向して組み合わせた誘導機器に関する。
【背景技術】
【０００２】
特許文献１に開示されているこの種のリアクトルコア（誘導機器のコアの一種であって一対のＥ型コアを接合したＥＥ型コア）では、ギャップを設けて大電流領域のインダクタンスを確保する必要がある。特許文献２，３では、ＥＩ型コアが開示されており、ＥＩ型コアの中央磁脚の先端にギャップ形成用の凸部が設けられている。凸部の接合対象は、平面であり、該平面と凸部との接合によって凸部の周囲にギャップがつくられる。凸部によってギャップをつくる構成をＥＥ型コアに適用することは可能である。
【先行技術文献】
【特許文献】
【０００３】
【特許文献１】特開２００５−１５０４１４号公報
【特許文献２】特開平７−１８３１３４号公報
【特許文献３】特開平１１−３４００６４号公報
【発明の概要】
【発明が解決しようとする課題】
【０００４】
しかし、凸部の接合対象が平面であるために対向する一対のＥ型コア間の位置決め（磁脚の幅方向における位置決め）が難しく、コアの製造が容易でない。
本発明は、複数のコア間の位置決めが容易な誘導機器を提供することを目的とする。
【課題を解決するための手段】
【０００５】
本発明は、複数の磁脚を有するコアを複数対向して組み合わせた誘導機器を対象とし、請求項１の発明では、複数の前記コアの一方における前記複数の磁脚のうちの少なくとも１つの先端に凸部が設けられており、前記凸部を有する磁脚に対向する他方の前記コアの磁脚の先端に凹部が設けられており、前記凸部と前記凹部とは、前記凸部を有する磁脚の先端と前記凹部を有する磁脚の先端との間の少なくとも一部にギャップを残す状態に接合されている。
【０００６】
凸部と凹部とが接合されるため、対向する複数のコア間の位置決め（磁脚の幅方向における位置決め）が容易である。
好適な例では、前記ギャップの少なくとも一部は、前記凸部と前記凹部との間にある。
【０００７】
好適な例では、前記凸部及び前記凹部の断面形状は、一方が矩形であり、他方が台形である。
矩形と台形との組合せにより、凸部と凹部との接合が容易となる。
【０００８】
好適な例では、前記凸部及び前記凹部の断面形状は、三角形であり、互いの頂角が異なる。
互いに頂角の異なる三角形の組合せにより、凸部と凹部との接合が容易となる。
【０００９】
好適な例では、前記凸部及び前記凹部の断面形状は、円弧であり、互いの曲率半径が異なる。
互いに曲率半径の異なる円弧の組合せにより、凸部と凹部との接合が容易となる。
【００１０】
好適な例では、前記凸部及び前記凹部の断面形状は、一方が台形であり、他方が三角形である。
台形と三角形との組合せにより、凸部と凹部との接合が容易となる。
【００１１】
好適な例では、前記コアは、左右対称である。
左右対称構成は、複数のコアの組み付け間違いの回避に寄与する。
【発明の効果】
【００１２】
本発明は、複数のコア間の位置決めが容易な誘導機器を提供することができるという優れた効果を奏する。
【図面の簡単な説明】
【００１３】
【図１】第１の実施形態を示し、（ａ）は、ＥＥ型リアクトルコアの斜視図。（ｂ）は、平面図。
【図２】要部拡大平面図。
【図３】別の実施形態を示す一部省略平面図。
【図４】別の実施形態を示す一部省略平面図。
【図５】別の実施形態を示し、（ａ）は、一部省略平面図。（ｂ）は、要部拡大平面図。
【図６】別の実施形態を示し、（ａ）は、一部省略平面図。（ｂ）は、要部拡大平面図。（ｃ）は、要部拡大平面図。
【図７】別の実施形態を示し、（ａ）は、一部省略平面図。（ｂ）は、要部拡大平面図。
【図８】別の実施形態を示し、（ａ）は、一部省略平面図。（ｂ）は、要部拡大平面図。
【図９】別の実施形態を示し、（ａ）は、一部省略平面図。（ｂ）は、要部拡大平面図。
【図１０】別の実施形態を示し、（ａ）は、一部省略平面図。（ｂ）は、要部拡大平面図。
【図１１】別の実施形態を示し、（ａ）は、一部省略平面図。（ｂ）は、要部拡大平面図。
【図１２】別の実施形態を示し、（ａ）は、一部省略平面図。（ｂ）は、要部拡大平面図。
【図１３】別の実施形態を示し、（ａ）は、一部省略平面図。（ｂ）は、要部拡大平面図。
【図１４】別の実施形態を示し、（ａ）は、一部省略平面図。（ｂ）は、要部拡大平面図。
【図１５】別の実施形態を示し、（ａ）は、平面図。（ｂ）は、要部拡大平面図。
【図１６】別の実施形態を示し、（ａ）は、一部省略平面図。（ｂ）は、要部拡大平面図。
【発明を実施するための形態】
【００１４】
以下、本発明をリアクトルに具体化した第１の実施形態を図１及び図２に基づいて説明する。
図１（ａ），（ｂ）に示すように、誘導機器としてのリアクトルに備えられたリアクトルコア１１は、第１Ｅ型コア１２と第２Ｅ型コア１３とを対向して組み合わせたＥＥ型コアにて構成されている。
【００１５】
図１（ｂ）に示すように、第１Ｅ型コア１２は、六面体形状の本体部１４と、複数の磁脚（六面体形状の中央磁脚１５、六面体形状の第１外側磁脚１６及び六面体形状の第２外側磁脚１７）とを備えている。中央磁脚１５は、本体部１４の長さ方向（矢印Ｒ１で示す方向）における内面１４１の中央部に連結されている。第１外側磁脚１６は、内面１４１の長さ方向Ｒ１における一端部に連結されており、第２外側磁脚１７は、内面１４１の長さ方向Ｒ１における他端部に連結されている。中央磁脚１５、第１外側磁脚１６及び第２外側磁脚１７は、本体部１４に対して垂直であって互いに平行に延びている。第１外側磁脚１６の長さＬ１及び第２外側磁脚１７の長さＬ２は、同じであり、第１外側磁脚１６の幅Ｈ１及び第２外側磁脚１７の幅Ｈ２は、同じである。中央磁脚１５と第１外側磁脚１６との間隔Ｗ１と、中央磁脚１５と第２外側磁脚１７との間隔Ｗ２とは、同一である。
【００１６】
中央磁脚１５の幅方向（矢印Ｒ１で示す方向）における先端面１５１の中央部には凸部１８が突設されている。凸部１８の断面形状（矢印Ｒ１で示す幅方向と平行、且つ図１（ａ）に矢印Ｒ２で示すＥ型コア１２，１３の厚み方向と垂直な仮想平面上での形状）は、矩形である。
【００１７】
第２Ｅ型コア１３は、六面体形状の本体部１９と、複数の磁脚（六面体形状の中央磁脚２０、六面体形状の第１外側磁脚２１及び六面体形状の第２外側磁脚２２）とを備えている。中央磁脚２０は、本体部１９の長さ方向（矢印Ｒ１で示す方向）における内面１９１の中央部に連結されている。第１外側磁脚２１は、内面１９１の長さ方向Ｒ１における一端部に連結されており、第２外側磁脚２２は、内面１９１の長さ方向Ｒ１における他端部に連結されている。中央磁脚２０、第１外側磁脚２１及び第２外側磁脚２２は、本体部１９に対して垂直であって互いに平行に延びている。
【００１８】
第１外側磁脚２１の長さＬ３及び第２外側磁脚２２の長さＬ４は、同じであり、第１外側磁脚２１の幅Ｈ３及び第２外側磁脚２２の幅Ｈ４は、第１外側磁脚１６及び第２外側磁脚１７の幅Ｈ１，Ｈ２と同じである。中央磁脚１５の幅Ｈ５と中央磁脚２０の幅Ｈ６とは、同じである。中央磁脚２０と第１外側磁脚２１との間隔Ｗ３及び中央磁脚２０と第２外側磁脚２２との間隔Ｗ４は、間隔Ｗ１，Ｗ２と同じである。
【００１９】
中央磁脚２０の幅方向（矢印Ｒ１で示す方向）における先端面２０１の中央部には凹部２３が凹設されている。凹部２３の断面形状〔矢印Ｒ１で示す幅方向と平行、且つ図１（ａ）に矢印Ｒ２で示すＥ型コア１２，１３の厚み方向と垂直な仮想平面上での形状〕は、左右対称の台形である。
【００２０】
第１Ｅ型コア１２は、中央磁脚１５を幅方向に２等分割する中心線１５０を中心にして左右対称形状であり、第２Ｅ型コア１３は、中央磁脚２０を幅方向に２等分割する中心線２００を中心にして左右対称形状である。第１外側磁脚１６の先端面１６１と第２外側磁脚２２の先端面２２１とは、面接合しており、第２外側磁脚１７の先端面１７１と第１外側磁脚２１の先端面２１１とは、面接合している。
【００２１】
図２に示すように、第１Ｅ型コア１２の中央磁脚１５と第２Ｅ型コア１３の中央磁脚２０とは、対向しており、凸部１８の先端面１８１の端縁１８２，１８３は、台形形状の凹部２３の斜辺２３２，２３３と接合している。
【００２２】
第１Ｅ型コア１２側の凸部１８と第２Ｅ型コア１３側の凹部２３とは、中央磁脚１５の先端と中央磁脚２０の先端との間にギャップＧ１，Ｇ１１を形成する。ギャップＧ１，Ｇ１１の一部のギャップＧ１１は、凸部１８と凹部２３との間（凸部１８の先端面１８１と凹部２３の底面２３１との間）に形成されている。凸部１８と凹部２３とは、凸部１８を有する中央磁脚１５の先端と、凹部２３を有する中央磁脚２０の先端との間の少なくとも一部にギャップＧ１，Ｇ１１を残す状態に接合されている。
【００２３】
第１Ｅ型コア１２及び第２Ｅ型コア１３は、電磁鋼板を積層した積層構造、あるいは粉体を型成形した圧粉構造をなしている。
図１（ａ）に示すように、第１Ｅ型コア１２の中央磁脚１５及び第２Ｅ型コア１３の中央磁脚２０にはコイル１０が巻回される。これによりリアクトルが構成される。
【００２４】
第１の実施形態では以下の効果が得られる。
（１）第１外側磁脚１６の先端面１６１と第２外側磁脚２２の先端面２２１とが面接合し、且つ第２外側磁脚１７の先端面１７１と第１外側磁脚２１の先端面２１１とが面接合した状態では、凸部１８の端縁１８２，１８３と凹部２３の斜辺２３２，２３３とが接合する。そのため、先端面１６１と先端面２２１との接合、及び先端面１７１と先端面２１１との接合を維持した状態で、第１Ｅ型コア１２と第２Ｅ型コア１３とを左右〔矢印Ｒ１の方向〕へずらそうとしても、凸部１８の端縁１８２，１８３と凹部２３の斜辺２３２，２３３との接合がこれを阻止する。
【００２５】
従って、対向する第１Ｅ型コア１２と第２Ｅ型コア１３との間の位置決め（左右方向における位置決め）が容易である。
（２）第１Ｅ型コア１２及び第２Ｅ型コア１３が左右対称形状であるため、第１Ｅ型コア１２と第２Ｅ型コア１３とを対向して組み合わせる作業において組み付けミスのおそれがない。
【００２６】
（３）中央磁脚１５の先端面１５１にある凸部１８は、中央磁脚１５の幅方向における先端面１５１の中央に配置すれば、左右対称になる。中央磁脚２０の先端面２０１にある凹部２３は、中央磁脚２０の幅方向における先端面２０１の中央に配置すれば、左右対称になる。つまり、中央磁脚１５の先端に凸部１８を設けると共に、中央磁脚２０の先端に凹部２３を設ける構成は、第１Ｅ型コア１２及び第２Ｅ型コア１３を左右対称形状にする上で最も簡単である。
【００２７】
（４）凸部１８の断面形状は矩形であり、凹部２３の断面形状は台形である。よって、矩形と台形との組合せにより、凸部１８と凹部２３との接合が容易となる。
本発明では図３〜図１６に示す実施形態も可能である。第１の実施形態と同じ構成部には同じ符合を用い、その詳細説明は省略する。図３〜図１４のいずれの実施形態においても、第１Ｅ型コアと第２Ｅ型コアとは、左右対称であり、中央磁脚１５，２０の先端面１５１，２０１同士が面接合している。
【００２８】
図３に示すリアクトルコア１１では、第１Ｅ型コア１２Ａでは、外側磁脚１６，１７の先端面１６１，１７１の中央部に凸部１８Ａが形成されており、第２Ｅ型コア１３Ａでは、外側磁脚２１，２２の先端面２１１，２２１の中央部に凹部２３Ａが形成されている。凸部１８Ａは、第１の実施形態における凸部１８と同形状であり、凹部２３Ａは、第１の実施形態における凹部２３と同形状である。凸部１８Ａと凹部２３Ａとは、外側磁脚１６，１７の先端と外側磁脚２２，２１の先端との間にギャップＧ２，Ｇ２１を形成する。ギャップＧ２，Ｇ２１の一部のギャップＧ２１は、凸部１８Ａと凹部２３Ａとの間に形成されている。
【００２９】
中央磁脚１５の先端面１５１と中央磁脚２０の先端面２０１とが面接合した状態では、凸部１８Ａの端縁と凹部２３Ａの斜辺とが接合する。そのため、先端面１５１と先端面２０１との接合を維持した状態で、第１Ｅ型コア１２Ａと第２Ｅ型コア１３Ａとを左右〔矢印Ｒ１の方向〕へずらそうとしても、凸部１８の端縁と凹部２３の斜辺との接合がこれを阻止する。従って、対向する第１Ｅ型コア１２Ａと第２Ｅ型コア１３Ａとの間の位置決め（左右方向における位置決め）が容易である。
【００３０】
又、第１の実施形態における（２），（４）項と同様の効果が得られる。
図４に示すリアクトルコア１１における第１Ｅ型コア１２Ｂでは、第１外側磁脚１６側の凸部１８Ｂ１が外側磁脚１６の先端面１６１の中央部から右方へずらされており、第２外側磁脚１７側の凸部１８Ｂ２が外側磁脚１７の先端面１７１の中央部から左方へずらされている。第２Ｅ型コア１３Ｂでは、第１外側磁脚２１側の凹部２３Ｂ１が第１外側磁脚２１の先端面２１１の中央部から左方へずらされており、第２外側磁脚２２側の凹部２３Ｂ２が第２外側磁脚２２の先端面２２１の中央部から右方へずらされている。
【００３１】
凸部１８Ｂ１，１８Ｂ２は、第１の実施形態における凸部１８と同形状であり、凹部２３Ｂ１，２３Ｂ２は、第１の実施形態における凹部２３と同形状である。第１外側磁脚１６の先端と第２外側磁脚２２の先端との間にはギャップＧ３，Ｇ３１が形成されており、第２外側磁脚１７の先端と第１外側磁脚２１の先端との間にはギャップＧ４，Ｇ４１が形成されている。ギャップＧ３，Ｇ３１の一部であるギャップＧ３１は、凸部１８Ｂ１と凹部２３Ｂ２との間にあり、ギャップＧ４，Ｇ４１の一部であるギャップＧ４１は、凸部１８Ｂ２と凹部２３Ｂ１との間にある。
【００３２】
本実施形態では、図３の実施形態と同様の効果が得られる。
図５（ａ）に示すリアクトルコア１１における第１Ｅ型コア１２Ｃの外側磁脚１６，１７の先端部には凸部１８Ｃ１，１８Ｃ２が突設されている。凸部１８Ｃ１，１８Ｃ２の断面形状は、二等辺三角形であり、凸部１８Ｃ１，１８Ｃ２の根元の幅は、外側磁脚１６，１７の幅と同じである。第２Ｅ型コア１３Ｃの外側磁脚２１，２２の先端部には凹部２３Ｃ１，２３Ｃ２が形成されている。
【００３３】
図５（ｂ）に示すように、凹部２３Ｃ１，２３Ｃ２の断面形状は、二等辺三角形であり、凹部２３Ｃ１，２３Ｃ２の二等辺の頂角θ１は、凸部１８Ｃ１，１８Ｃ２の二等辺の頂角θ２よりも大きい。
【００３４】
凸部１８Ｃ１の頂と凹部２３Ｃ２の底とは、線接合されており、凸部１８Ｃ２の頂と凹部２３Ｃ２の底とは、線接合されている。凸部１８Ｃ１と凹部２３Ｃ２との間にはギャップＧ５が形成されており、凸部１８Ｃ２と凹部２３Ｃ１との間にはギャップＧ６が形成されている。
【００３５】
第１Ｅ型コア１２Ｃと第２Ｅ型コア１３Ｃとを接合した状態では、第１Ｅ型コア１２Ｃと第２Ｅ型コア１３Ｃとが互いに左右方向へずれることはない。
又、凸部１８Ｃ１，１８Ｃ２及び凹部２３Ｃ１，２３Ｃ２の断面形状は二等辺三角形であり、凸部１８Ｃ１，１８Ｃ２の二等辺の頂角θ２と凹部２３Ｃ１，２３Ｃ２の二等辺の頂角θ１とは互いに異なる（θ１＞θ２）。よって、互いに頂角の異なる三角形の組合せにより、凸部１８Ｃ１，１８Ｃ２と凹部２３Ｃ２，２３Ｃ１との接合が容易となる。
【００３６】
図６（ａ）に示すリアクトルコア１１における第１Ｅ型コア１２Ｄの外側磁脚１６，１７の先端部には凸部１８Ｄ１，１８Ｄ２が形成されている。凸部１８Ｄ１，１８Ｄ２の断面形状は、三角形であり、凸部１８Ｄ１，１８Ｄ２の根元の幅は、外側磁脚１６，１７の幅と同じである。第２Ｅ型コア１３Ｄの外側磁脚２１，２２の先端部には凹部２３Ｄ１，２３Ｄ２が形成されている。
【００３７】
図６（ｂ），（ｃ）に示すように、凹部２３Ｄ１，２３Ｄ２の断面形状は、三角形であり、凹部２３Ｄ１，２３Ｄ２の頂角θ３は、凸部１８Ｄ１，１８Ｄ２の頂角θ４よりも大きい。
【００３８】
凸部１８Ｄ１の頂と凹部２３Ｄ２の底とは、線接合されており、凸部１８Ｄ２の頂と凹部２３Ｄ１の底とは、線接合されている。凸部１８Ｄ１の頂と凹部２３Ｄ２の底とは、外側磁脚１６，２２の幅の中央よりも右方にずらされており、凸部１８Ｄ２の頂と凹部２３Ｄ１の底とは、外側磁脚１７，２１の幅の中央よりも左方にずらされている。
【００３９】
凸部１８Ｄ１と凹部２３Ｄ２との間にはギャップＧ７が形成されており、凸部１８Ｄ２と凹部２３Ｄ１との間にはギャップＧ８が形成されている。
第１Ｅ型コア１２Ｄと第２Ｅ型コア１３Ｄとを接合した状態では、第１Ｅ型コア１２Ｄと第２Ｅ型コア１３Ｄとが互いに左右方向へずれることはない。
【００４０】
又、凸部１８Ｄ１，１８Ｄ２及び凹部２３Ｄ１，２３Ｄ２の断面形状は三角形であり、凸部１８Ｄ１，１８Ｄ２の頂角θ４と凹部２３Ｄ１，２３Ｄ２の頂角θ３とは互いに異なる（θ３＞θ４）。よって、互いに頂角の異なる三角形の組合せにより、凸部１８Ｄ１，１８Ｄ２と凹部２３Ｄ２，２３Ｄ１との接合が容易となる。
【００４１】
図７（ａ）に示すリアクトルコア１１における第１Ｅ型コア１２Ｆの外側磁脚１６，１７の先端部には凸部１８Ｆ１，１８Ｆ２が形成されている。凸部１８Ｆ１，１８Ｆ２の断面形状は、左右対称の台形であり、凸部１８Ｆ１，１８Ｆ２の根元の幅は、外側磁脚１６，１７の幅と同じである。第２Ｅ型コア１３Ｆの外側磁脚２１，２２の先端部には凹部２３Ｆ１，２３Ｆ２が形成されている。
【００４２】
図７（ｂ）に示すように、凹部２３Ｆ１，２３Ｆ２の断面形状は、二等辺三角形であり、凹部２３Ｆ１，２３Ｆ２の二等辺の頂角θ５は、凸部１８Ｆ１，１８Ｆ２の斜辺２４，２５のなす角θ６よりも大きい。
【００４３】
凸部１８Ｆ１，１８Ｆ２の先端１８４の端縁と凹部２３Ｆ２，２３Ｆ１の二等辺とは、線接合されている。凸部１８Ｆ１と凹部２３Ｆ２との間にはギャップＧ９，Ｇ９１が形成されており、凸部１８Ｆ２と凹部２３Ｆ１との間にはギャップＧ１０，Ｇ１０１が形成されている。
【００４４】
第１Ｅ型コア１２Ｆと第２Ｅ型コア１３Ｆとを接合した状態では、第１Ｅ型コア１２Ｆと第２Ｅ型コア１３Ｆとが互いに左右方向へずれることはない。
又、凸部１８Ｆ１，１８Ｆ２の断面形状は台形であり、凹部２３Ｆ１，２３Ｆ２の断面形状は三角形である。よって、台形と三角形との組合せにより、凸部１８Ｆ１，１８Ｆ２と凹部２３Ｆ２，２３Ｆ１との接合が容易となる。
【００４５】
図８（ａ）に示すリアクトルコア１１における第１Ｅ型コア１２Ｊの外側磁脚１６，１７の先端部には凸部１８Ｊ１，１８Ｊ２が突設されている。凸部１８Ｊ１，１８Ｊ２の断面形状は、左右対称の台形であり、凸部１８Ｊ１，１８Ｊ２の根元の幅は、外側磁脚１６，１７の幅と同じである。第２Ｅ型コア１３Ｊの外側磁脚２１，２２の先端面２１１，２２１には凹部２３Ｊ１，２３Ｊ２が凹設されている。
【００４６】
図８（ｂ）に示すように、凹部２３Ｊ１，２３Ｊ２の断面形状は、矩形であり、凹部２３Ｊ１，２３Ｊ２の開口縁２６，２７は、凸部１８Ｊ１，１８Ｊ２の斜辺２８，２９に線接合されている。凸部１８Ｊ１と第２外側磁脚２２の先端との間にはギャップＧ１１，Ｇ１１１が形成されており、凸部１８Ｊ２と第１外側磁脚２１の先端との間にはギャップＧ１２，Ｇ１２１が形成されている。ギャップＧ１１，Ｇ１１１の一部であるギャップＧ１１１は、凸部１８Ｊ１と凹部２３Ｊ２との間にあり、ギャップＧ１２，Ｇ１２１の一部であるギャップＧ１２１は、凸部１８Ｊ２と凹部２３Ｊ１との間にある。
【００４７】
第１Ｅ型コア１２Ｊと第２Ｅ型コア１３Ｊとを接合した状態では、第１Ｅ型コア１２Ｊと第２Ｅ型コア１３Ｊとが互いに左右方向へずれることはない。
凸部１８Ｊ１，１８Ｊ２の断面形状は台形であり、凹部２３Ｊ１，２３Ｊ２の断面形状は矩形である。よって、台形と矩形との組合せにより、凸部１８Ｊ１，１８Ｊ２と凹部２３Ｊ２，２３Ｊ１との接合が容易となる。
【００４８】
図９（ａ）に示すリアクトルコア１１における第１Ｅ型コア１２Ｋの外側磁脚１６，１７の先端面１６１，１７１には凸部１８Ｋ１，１８Ｋ２が突設されている。凸部１８Ｋ１，１８Ｋ２の先端側の断面形状は、二等辺三角形であり、凸部１８Ｋ１，１８Ｋ２の根元の幅は、外側磁脚１６，１７の幅よりも小さい。第２Ｅ型コア１３Ｋの外側磁脚２１，２２の先端面２１１，２２１には凹部２３Ｋ１，２３Ｋ２が凹設されている。
【００４９】
図９（ｂ）に示すように、凹部２３Ｋ１，２３Ｋ２の断面形状は、二等辺三角形であり、凹部２３Ｋ１，２３Ｋ２の開口縁３０，３１は、凸部１８Ｋ２，１８Ｋ１の二等辺３２，３３に線接合されている。第１外側磁脚１６の先端と第２外側磁脚２２の先端との間にはギャップＧ１３，Ｇ１３１が形成されており、第２外側磁脚１７の先端と第１外側磁脚２１との先端との間にはギャップＧ１４，Ｇ１４１が形成されている。ギャップＧ１３，Ｇ１３１の一部であるギャップＧ１３１は、凸部１８Ｋ１と凹部２３Ｋ２との間にあり、ギャップＧ１４，Ｇ１４１の一部であるギャップＧ１４１は、凸部１８Ｋ２と凹部２３Ｋ１との間にある。
【００５０】
第１Ｅ型コア１２Ｋと第２Ｅ型コア１３Ｋとを接合した状態では、第１Ｅ型コア１２Ｋと第２Ｅ型コア１３Ｋとが互いに左右方向へずれることはない。
又、凸部１８Ｋ１，１８Ｋ２の先端側及び凹部２３Ｋ１，２３Ｋ２の断面形状は二等辺三角形であり、凸部１８Ｋ１，１８Ｋ２の頂角と凹部２３Ｋ１，２３Ｋ２の頂角とは互いに異なる。よって、互いに頂角の異なる三角形の組合せにより、凸部１８Ｋ１，１８Ｋ２と凹部２３Ｋ２，２３Ｋ１との接合が容易となる。
【００５１】
図１０（ａ）に示すリアクトルコア１１における第１Ｅ型コア１２Ｍの外側磁脚１６，１７の先端部には凸部１８Ｍ１，１８Ｍ２が形成されている。凸部１８Ｍ１，１８Ｍ２の側面は、凸面に凹面を連ねた形状に形成されており、凸部１８Ｍ１，１８Ｍ２の幅は、基端から先端に向かうにつれて徐々に減少してゆく。凸部１８Ｍ１，１８Ｍ２の根元の幅は、外側磁脚１６，１７の幅と同じである。第２Ｅ型コア１３Ｍの外側磁脚２１，２２の先端部には凹部２３Ｍ１，２３Ｍ２が凹設されている。
【００５２】
図１０（ｂ）に示すように、凹部２３Ｍ１，２３Ｍ２は、左右対称の凹曲面で形成されており、凸部１８Ｍ１，１８Ｍ２の先端面１８５の端縁１８６，１８７は、凹部２３Ｍ２，２３Ｍ１の凹曲面に線接合されている。凸部１８Ｍ１と凹部２３Ｍ２との間にはギャップＧ１５，Ｇ１５１が形成されており、凸部１８Ｍ２と凹部２３Ｍ１との間にはギャップＧ１６，Ｇ１６１が形成されている。
【００５３】
第１Ｅ型コア１２Ｍと第２Ｅ型コア１３Ｍとを接合した状態では、第１Ｅ型コア１２Ｍと第２Ｅ型コア１３Ｍとが互いに左右方向へずれることはない。
又、凹部２３Ｍ２，２３Ｍ１の凹曲面と凸部１８Ｍ１，１８Ｍ２の先端面１８５の端縁１８６，１８７とは、線接合されているので、凸部１８Ｍ１，１８Ｍ２と凹部２３Ｍ２，２３Ｍ１との接合が容易となる。
【００５４】
図１１（ａ）に示すリアクトルコア１１における第１Ｅ型コア１２Ｎの外側磁脚１６，１７の先端部には凸部１８Ｎ１，１８Ｎ２が形成されている。凸部１８Ｎ１，１８Ｎ２の側面は、凹面の円弧面に形成されており、凸部１８Ｎ１，１８Ｎ２の幅は、基端から先端に向かうにつれて徐々に減少してゆく。凸部１８Ｎ１，１８Ｎ２の根元の幅は、外側磁脚１６，１７の幅と同じである。第２Ｅ型コア１３Ｎの外側磁脚２１，２２の先端面２１１，２２１には凹部２３Ｎ１，２３Ｎ２が凹設されている。凹部２３Ｎ１，２３Ｎ２は、図９の実施形態における凹部２３Ｋ１，２３Ｋ２と同形状である。
【００５５】
図１１（ｂ）に示すように、凸部１８Ｎ１と第２外側磁脚２２の先端との間にはギャップＧ１７，Ｇ１７１が形成されており、凸部１８Ｎ２と第１外側磁脚２１の先端との間にはギャップＧ１８，Ｇ１８１が形成されている。ギャップＧ１７，Ｇ１７１の一部であるギャップＧ１７１は、凸部１８Ｎ１と凹部２３Ｎ２との間にあり、ギャップＧ１８，Ｇ１８１の一部であるギャップＧ１８１は、凸部１８Ｎ２と凹部２３Ｎ１との間にある。
【００５６】
第１Ｅ型コア１２Ｎと第２Ｅ型コア１３Ｎとを接合した状態では、第１Ｅ型コア１２Ｎと第２Ｅ型コア１３Ｎとが互いに左右方向へずれることはない。
又、凹部２３Ｐ２，２３Ｐ１の凹曲面と凸部１８Ｐ１，１８Ｐ２の円弧面とは、線接合されているので、凸部１８Ｐ１，１８Ｐ２と凹部２３Ｐ２，２３Ｐ１との接合が容易となる。
【００５７】
図１２（ａ）に示すリアクトルコア１１における第１Ｅ型コア１２Ｐの外側磁脚１６，１７の先端部には凸部１８Ｐ１，１８Ｐ２が形成されている。凸部１８Ｐ１，１８Ｐ２の断面形状は、円弧に形成されており、凸部１８Ｐ１，１８Ｐ２の根元の幅は、外側磁脚１６，１７の幅と同じである。第２Ｅ型コア１３Ｐの外側磁脚２１，２２の先端部には凹部２３Ｐ１，２３Ｐ２が形成されている。凹部２３Ｐ１，２３Ｐ２は、図１０の実施形態における凹部２３Ｍ１，２３Ｍ２と同形状である。
【００５８】
図１２（ｂ）に示すように、凸部１８Ｐ１と凹部２３Ｐ２との間にはギャップＧ１９，Ｇ１９１が形成されており、凸部１８Ｐ２と凹部２３Ｐ１との間にはギャップＧ２０，Ｇ２０１が形成されている。
【００５９】
第１Ｅ型コア１２Ｐと第２Ｅ型コア１３Ｐとを接合した状態では、第１Ｅ型コア１２Ｐと第２Ｅ型コア１３Ｐとが互いに左右方向へずれることはない。
又、凹部２３Ｎ１，２３Ｎ２の開口縁と凸部１８Ｎ１，１８Ｎ２の側面とは、線接合されているので、凸部１８Ｎ１，１８Ｎ２と凹部２３Ｎ２，２３Ｎ１との接合が容易となる。
【００６０】
図１３（ａ）に示す第１Ｅ型コア１２Ｑ及び第２Ｅ型コア１３Ｑでは、中央磁脚１５，２０の先端面１５１，２０１同士が面接合している。第１Ｅ型コア１２Ｑの外側磁脚１６，１７の先端部には凸部１８Ｑ１，１８Ｑ２が形成されている。凸部１８Ｑ１，１８Ｑ２の断面形状は、円弧に形成されており、凸部１８Ｑ１，１８Ｑ２の根元の幅は、外側磁脚１６，１７の幅と同じである。第２Ｅ型コア１３Ｑの外側磁脚２１，２２の先端部には凹部２３Ｑ１，２３Ｑ２が形成されている。凹部２３Ｑ１，２３Ｑ２の断面形状は、円弧であり、凹部２３Ｑ１，２３Ｑ２の円弧の曲率半径は、凸部１８Ｑ１，１８Ｑ２の円弧の曲率半径よりも大きい。
【００６１】
図１３（ｂ）に示すように、凸部１８Ｑ１の頂と凹部２３Ｑ２の底とは、線接合されており、凸部１８Ｑ２の頂と凹部２３Ｑ１の底とは、線接合されている。凸部１８Ｑ１と凹部２３Ｑ２との間にはギャップＧ２１が形成されており、凸部１８Ｑ２と凹部２３Ｑ１との間にはギャップＧ２２が形成されている。
【００６２】
第１Ｅ型コア１２Ｑと第２Ｅ型コア１３Ｑとを接合した状態では、第１Ｅ型コア１２Ｑと第２Ｅ型コア１３Ｑとが互いに左右方向へずれることはない。
又、凸部１８Ｑ１，１８Ｑ２及び凹部２３Ｑ１，２３Ｑ２の断面形状は円弧であり、凸部１８Ｑ１，１８Ｑ２の円弧の曲率半径と凹部２３Ｑ１，２３Ｑ２の円弧の曲率半径とは互いに異なる。よって、互いに曲率半径の異なる円弧の組合せにより、凸部１８Ｑ１，１８Ｑ２と凹部２３Ｑ２，２３Ｑ１との接合が容易となる。
【００６３】
図１４（ａ）に示すリアクトルコア１１における第１Ｅ型コア１２Ｓの外側磁脚１６，１７の先端部には凸部１８Ｓ１，１８Ｓ２が形成されている。凸部１８Ｓ１，１８Ｓ２の断面形状は、円弧に形成されており、凸部１８Ｓ１，１８Ｓ２の根元の幅は、外側磁脚１６，１７の幅と同じである。
【００６４】
図１４（ｂ）に示すように、第２Ｅ型コア１３Ｓの外側磁脚２１，２２の先端部には凹部２３Ｓ１，２３Ｓ２が形成されており、凹部２３Ｓ１，２３Ｓ２の形成面には凹部２３Ｓ１１，２３Ｓ２１が形成されている。凹部２３Ｓ１，２３Ｓ２の断面形状は、円弧であり、凹部２３Ｓ１１，２３Ｓ２１の断面形状は、円弧である。凹部２３Ｓ１，２３Ｓ２の円弧の曲率半径は、凸部１８Ｓ１，１８Ｓ２の円弧の曲率半径と同じであり、凹部２３Ｓ１１，２３Ｓ２１の曲率半径は、凸部１８Ｓ１，１８Ｓ２の円弧の曲率半径よりも小さい。
【００６５】
凸部１８Ｓ１と凹部２３Ｓ２とは、面接合されており、凸部１８Ｓ２と凹部２３Ｓ１とは、面接合されている。凸部１８Ｓ１と凹部２３Ｓ２１との間にはギャップＧ２３が形成されており、凸部１８Ｓ２と凹部２３Ｓ１１との間にはギャップＧ２４が形成されている。
【００６６】
第１Ｅ型コア１２Ｓと第２Ｅ型コア１３Ｓとを接合した状態では、第１Ｅ型コア１２Ｓと第２Ｅ型コア１３Ｓとが互いに左右方向へずれることはない。
又、凸部１８Ｓ１，１８Ｓ２及び凹部２３Ｓ１１，２３Ｓ２１の断面形状は円弧であり、凸部１８Ｓ１，１８Ｓ２の円弧の曲率半径と凹部２３Ｓ１１，２３Ｓ２１の円弧の曲率半径とは互いに異なる。よって、互いに曲率半径の異なる円弧の組合せにより、凸部１８Ｓ１，１８Ｓ２と凹部２３Ｓ２１（２３Ｓ２），２３Ｓ１１（２３Ｓ１）との接合が容易となる。
【００６７】
次に、図１５の実施形態を説明する。
図１５（ａ）に示すように、誘導機器としてのリアクトルに備えられたリアクトルコア３４は、第１Ｕ型コア３５と第２Ｕ型コア３６とを対向して組み合わせたＵＵ型コアにて構成されている。
【００６８】
第１Ｕ型コア３５は、連結部３７と複数の磁脚（第１磁脚３８及び第２磁脚３９）とを備えている。第１磁脚３８の幅方向（矢印Ｒ１で示す方向）における先端面３８１の中央部には凸部４５が突設されており、第２磁脚３９の幅方向（矢印Ｒ１で示す方向）における先端面３９１の中央部には凸部４６が突設されている。凸部４５，４６の断面形状は、矩形である。
【００６９】
第２Ｕ型コア３６は、連結部４０と複数の磁脚（第１磁脚４１及び第２磁脚４２）とを備えている。第１磁脚４１の先端部には凹部４７が形成されており、第２磁脚４２の先端部には凹部４８が形成されている。
【００７０】
図１５（ｂ）に示すように、凹部４７，４８の断面形状は、左右対称の台形であり、凸部４５，４６の先端面４５１，４６１の幅と凹部４７，４８の底面４７１，４８１の幅とは、同じである。
【００７１】
図１５（ａ）に示すように、第１Ｕ型コア３５の第１磁脚３８と第２Ｕ型コア３６の第２磁脚４２とは、対向しており、凸部４５の先端面４５１と凹部４８の底面４８１とが面接合している。第１Ｕ型コア３５の第２磁脚３９と第２Ｕ型コア３６の第１磁脚４１とは、対向しており、凸部４６の先端面４６１と凹部４７の底面４７１とが面接合している。
【００７２】
第１磁脚３８の先端面３８１と凹部４８との間にはギャップＧ２５が形成されており、第２磁脚３９の先端面３９１と凹部４７との間にはギャップＧ２６が形成されている。凸部４５，４６の先端面４５１，４６１と凹部４８，４７の底面４８１，４７１とが面接合した状態では、第１Ｕ型コア３５と第２Ｕ型コア３６とが互いに左右方向へずれることはない。
【００７３】
第１Ｕ型コア３５の第１磁脚３８及び第２Ｕ型コア３６の第２磁脚４２にはコイル４３が磁脚３８，４２を取り巻くように設けられている。第１Ｕ型コア３５の第２磁脚３９及び第２Ｕ型コア３６の第１磁脚４１にはコイル４４が磁脚３９，４１を取り巻くように設けられている。これによりリアクトルが構成される。
【００７４】
本実施形態では、第１の実施形態における（１），（２），（４）項と同様の効果が得られる。
次に、図１６の実施形態を説明する。
【００７５】
図１６（ａ）に示す第１Ｕ型コア３５Ａ及び第２Ｕ型コア３６Ａでは、第２磁脚３９の先端面３９１と第１磁脚４１の先端面４１１とが面接合している。第１磁脚３８の先端部には凸部４９が形成されている。凸部４９の断面形状は、側面が凸曲面から凹曲面に変わりながら先細りとなる形状であり、凸部４９の根元の幅は、第１磁脚３８の幅と同じである。
【００７６】
第２磁脚４２の先端部には凹部５０が形成されている。凹部５０の断面形状は、側面が凹曲面から凸曲面に変わりながら尻すぼみとなる形状であり、凸部４９の根元の幅は、第２磁脚４２の幅と同じである。
【００７７】
図１６（ｂ）に示すように、凸部４９の先端面４９１の幅は、凹部５０の底面５０１の幅と同じであり、凸部４９の先端面４９１は、凹部５０の底面５０１に面接合している。凸部４９と凹部５０との間にはギャップＧ２７が形成されている。第１Ｕ型コア３５Ａ及び第２Ｕ型コア３６Ａは、左右非対称である。
【００７８】
凸部４９の先端面４９１と凹部５０の底面５０１とが面接合した状態では、第１Ｕ型コア３５Ａと第２Ｕ型コア３６Ａとが互いに左右方向へずれることはない。
本発明では以下のような実施形態も可能である。
【００７９】
○中央磁脚１５，２０間、第１外側磁脚１６と第２外側磁脚２２との間及び第１外側磁脚２１と第２外側磁脚１７との間のいずれにもギャップを設けてもよい。
○図２〜図１４の各実施形態において、第１外側磁脚１６と第２外側磁脚２２との間及び第１外側磁脚２１と第２外側磁脚１７との間のどちらか一方にのみギャップを設けてもよい。又、外側磁脚の一方にのみギャップを設け、更に中央磁脚１５，２０間にギャップを設けてもよい。
【００８０】
○図３〜図１４の各実施形態の外側磁脚のギャップ形成構造をＵＵ型コアに適用してもよい。又、図１５及び図１６の各実施形態の磁脚のギャップ形成構造をＥＥ型コアに適用してもよい。
【００８１】
○凸部の断面形状を三角形とし、凹部の断面形状を台形としてもよい。また、凸部の断面形状を円弧とし、凹部の断面形状を矩形又は台形としてもよい。更に、凸部の断面形状を矩形又は台形とし、凹部の断面形状を円弧としてもよい。
【００８２】
○ＥＥ型コアを備えたトランスに本発明を適用してもよい。
○ＵＵ型コアを備えたトランスに本発明を適用してもよい。
○第１Ｕ型コアと第２Ｕ型コアとの間にＩ型コアを追加したリアクトル及びトランスに本発明を適用してもよい。
【００８３】
前記した実施形態から把握できる技術思想について以下に記載する。
（イ）前記コアは、一対の磁脚を有し、前記凸部を有するコアは、前記一対の磁脚の少なくとも１つの先端に前記凸部を有する請求項１乃至請求項７のいずれか１項に記載の誘導機器。
【００８４】
（ロ）前記コアは、中央磁脚と、前記中央磁脚の両側に設けられた一対の外側磁脚とを有し、前記凸部を有するコアは、前記中央磁脚及び前記一対の外側磁脚のうちの少なくとも１つの先端に前記凸部を有する請求項１乃至請求項７のいずれか１項に記載の誘導機器。
【００８５】
（ハ）前記凸部は、前記中央磁脚の先端に設けられている前記（ロ）項に記載の誘導機器。
（ニ）前記凸部は、前記一対の外側磁脚の先端に設けられている前記（ロ）項に記載の誘導機器。
【００８６】
（ホ）前記凸部の断面形状は、先端に向かって先細りとなる請求項１及び請求項２のいずれか１項に記載の誘導機器。
（ヘ）前記凹部の断面形状は、開口縁から底に向かって幅が狭くなる請求項１及び請求項２のいずれか１項に記載の誘導機器。
【００８７】
（ト）前記凸部及び前記凹部の少なくとも一方の断面形状は、円弧面である請求項１及び請求項２のいずれか１項に記載の誘導機器。
【符号の説明】
【００８８】
１１，３４…リアクトルコア。１２，１２Ａ，１２Ｂ，１２Ｃ，１２Ｄ，１２Ｆ，１２Ｊ，１２Ｋ，１２Ｍ，１２Ｎ，１２Ｐ，１２Ｑ，１２Ｓ…第１Ｅ型コア。１３，１３Ａ，１３Ｂ，１３Ｃ，１３Ｄ，１３Ｆ，１３Ｊ，１３Ｋ，１３Ｍ，１３Ｎ，１３Ｐ，１３Ｑ，１３Ｓ…第２Ｅ型コア。１５，２０…中央磁脚。１６，２１…第１外側磁脚。１７，２２…第２外側磁脚。１８，１８Ａ，１８Ｂ１，１８Ｂ２，１８Ｃ１，１Ｃ２，１８Ｄ１，１８Ｄ２，１８Ｆ１，１８Ｆ２，１８Ｊ１，１８Ｊ２，１８Ｋ１，１８Ｋ２，１８Ｍ１，１８Ｍ２，１８Ｎ１，１８Ｎ２，１８Ｐ１，１８Ｐ２，１８Ｑ１，１８Ｑ２，１８Ｓ１，１８Ｓ２…凸部１８，２３Ａ，２３Ｂ１，２３Ｂ２，２３Ｃ１，１Ｃ２，２３Ｄ１，２３Ｄ２，２３Ｆ１，２３Ｆ２，２３Ｊ１，２３Ｊ２，２３Ｋ１，２３Ｋ２，２３Ｍ１，２３Ｍ２，２３Ｎ１，２３Ｎ２，２３Ｐ１，２３Ｐ２，２３Ｑ１，２３Ｑ２，２３Ｓ１，２３Ｓ２，２３１１，２３Ｓ２１…凹部。３８，４１…第１磁脚。３９，４１…第２磁脚。４５，４６，４９…凸部。４７，４８，５０…凹部。３５，３５Ａ…第１Ｕ型コア。３６，３６Ａ…第２Ｕ型コア。Ｇ１，Ｇ１１Ｇ２，Ｇ２１，Ｇ３，Ｇ３１，Ｇ４，Ｇ４１，Ｇ６，Ｇ７，Ｇ８，Ｇ９，Ｇ９１，Ｇ１０，Ｇ１０１，Ｇ１１，Ｇ１１１，Ｇ１２，Ｇ１２１，Ｇ１３，Ｇ１３１，Ｇ１４，Ｇ１４１，Ｇ１５，Ｇ１５１，Ｇ１６，Ｇ１６１，Ｇ１７，Ｇ１７１，Ｇ１８，Ｇ１８１，Ｇ１９，Ｇ１９１，Ｇ２０，Ｇ２０１，Ｇ２１，Ｇ２２，Ｇ２３，Ｇ２４，Ｇ２５，Ｇ２６，Ｇ２７…ギャップ。
【図１】
2011211104.tif 000003
【図２】
2011211104.tif 000004
【図３】
2011211104.tif 000005
【図４】
2011211104.tif 000006
【図５】
2011211104.tif 000007
【図６】
2011211104.tif 000008
【図７】
2011211104.tif 000009
【図８】
2011211104.tif 000010
【図９】
2011211104.tif 000011
【図１０】
2011211104.tif 000012
【図１１】
2011211104.tif 000013
【図１２】
2011211104.tif 000014
【図１３】
2011211104.tif 000015
【図１４】
2011211104.tif 000016
【図１５】
2011211104.tif 000017
【図１６】
2011211104.tif 000018